(57)【特許請求の範囲】
【請求項１】
複数の電極（Ｅ１−Ｅ１６）を備えている電極帯（２）を有しており、
グループ開始箇所およびグループ終端箇所にある電極（Ｅ１、Ｅ８）を含んでいる、隣接する複数の電極（Ｅ１−Ｅ８）から成る少なくとも１つの第１の電極グループ（５）と、グループ開始箇所およびグループ終端箇所にある電極（Ｅ９、Ｅ１６）を含んでいる、隣接する複数の電極（Ｅ９−Ｅ１６）から成る第２の電極グループ（６）とが形成されており、
前記第１の電極グループ（５）の電極を接触接続するための第１の多芯のリード線ケーブル（７）を有しており、
前記第２の電極グループ（６）の電極を接触接続するための第２の多芯のリード線ケーブル（８）を有しており、
前記第１の電極グループ（５）用の前記第１のリード線ケーブル（７）を通って延在するさらなる電極リード線（１５）を有しており、前記電極リード線（１５）は、前記第２の電極グループ（６）のグループ開始箇所またはグループ終端箇所にあり且つ前記第１の電極グループ（５）の電極に隣接している電極（Ｅ９）を接触接続させるために設けられている、
ことを特徴とする、電気インピーダンストモグラフィ装置。
【請求項２】
前記２つの電極グループ（５、６）は、前記電極帯（２）の帯留め具（４）の両側に配置されている、請求項１記載の装置。
【発明の詳細な説明】
【技術分野】
【０００１】
本発明は、電気インピーダンストモグラフィ装置および、電気インピーダンストモグラフィ装置によって測定信号を求める方法に関する。
【背景技術】
【０００２】
電気インピーダンストモグラフィ（ＥＩＴ）の使用は、医療分野において拡大してきている。典型的なＥＩＴ機器は、８個、１６個または３２個の電極をデータ検出のために使用する。ここで、２つの電極によって電流が供給され、残りの電極の間で、結果として生じる電圧が測定される。種々の供給および測定の組み合わせによって、信号ベクトルが形成され、この信号ベクトルから、適切なアルゴリズムを用いて、インピーダンス分布ないしは、機能ＥＩＴ（ｆＥＩＴ）の場合には、電極レベルにおける基準値に対するインピーダンス分布の相対的な変化が特定される。後者は、胸部の状態依存の機能電気インピーダンス時に使用される。ここではＮ個の電極が、環状に、胸部の周りに取り付けられ、種々の肺状態（例えば吸気終末状態および呼気終末状態において）、信号ベクトルの比較から、ベンチレーションによって生じる相対的なインピーダンス変化の断面図が再構築される。これは、肺のベンチレーションの局所的分布に対する尺度となる。胸部ｆＥＩＴは、殊に病院内の集中治療室での、局部的に解明される、ベンチレーションの肺モニタリングに良好に適している。
【０００３】
電気インピーダンストモグラフィ装置は、例えばＵＳ５９１９１４２Ａ号に開示されている。
【０００４】
頻繁に使用されるデータ検出ストラテジーは、いわゆる、隣接データ検出である。ここでは、隣接している２つの電極によって電流が供給され、残りの電極間の電圧が隣接して測定される。ここで電流を案内する複数の電極には、電流を案内する電極を介した未知の電圧降下のために、空間が設けられている。従って電流供給ポジションのために、１３の電圧値が設けられる。後続の電極対を介した電流供給のために、新たに、１３の電圧が設定される。従って、全体で１６＊１３＝２０８の電圧値が存在する。これらの電圧値から、データ検出のこの形態に有利である再構築ステップによって、インピーダンス分布、ないしは、２０８の基準電圧の使用時にインピーダンス分布の相対的な変化が特定される。
【０００５】
被験者の体に電極を固定するために、通常は、保護構造体から成る電極帯が使用される。この電極帯には電極が固定され、ポジションに保持される。このような電極帯は、上位概念を形成する文献ＥＰ１６４９８０５Ｂ１号から既知である。電極は、被験者の体と面状に接触し、コンタクト手段を有する。このコンタクト手段にはそれぞれ１つの電極リード線が、多芯リード線ケーブルの心線として接続されている。ノイズの影響は、各電極リード線を遮蔽することによって低減される。
【０００６】
電極帯は、それぞれ８つの電極から成る２つのグループに分けられている。このグループはそれぞれ、別個の、多芯リード線ケーブルとコンタクトされる。多芯リード線ケーブルは２つの束を有しており、これらの束と、それぞれ４つの電極が接触接続されている。
【０００７】
隣接する電極への電流供給によって、磁界が生じ、この磁界は電圧測定を妨害する。該当する複数の電極リード線が、唯一の多芯リード線ケーブル内に延在している限りは、このような磁気的なクロストークは僅かである。多芯リード線ケーブルがそれぞれ、電極帯の右側および左側に位置している場合には、磁気的なクロストークは僅かである。これは、電流供給および電圧測定のための電極リード線が主に、右側または左側のリード線ケーブル内のみ延在している限りである。最大クロストークは次のような場合に生じる。すなわち、電流供給および電圧測定電極対のための電極対用の複数の電極リード線が、異なる複数のリード線ケーブル内に延在する場合に生じる。
【先行技術文献】
【特許文献】
【０００８】
【特許文献１】米国特許第５９１９１４２号明細書
【特許文献２】欧州特許第１６４９８０５号明細書
【発明の概要】
【発明が解決しようとする課題】
【０００９】
本発明の課題は、上述した様式の装置を、データ検出時に電極帯で発生するノイズレベルに関して改善すること、および電気インピーダンストモグラフィ装置によって測定値を求める方法を提供することである。
【課題を解決するための手段】
【００１０】
装置に対する課題は、異なる２つのグループの２つの隣接する電極の少なくとも１つの電極が付加的な電極リード線を有しており、当該付加的な電極リード線が、前記隣接するグループの前記リード線ケーブルを介して案内されていることを特徴とする電気インピーダンストモグラフィ装置によって解決される。
【００１１】
方法に対する課題は、電極帯は、隣接する電極から成る少なくとも２つのグループを有しており、当該隣接する電極はそれぞれ多芯のリードケーブル線を介してコンタクトされており、異なるグループに属する少なくとも２つの隣接する電極のうちの少なくとも１つの電極を、付加的な電極リード線とコンタクトさせるステップを有しており、当該付加的な電極リード線は、当該電極に隣接する電極グループのリード線ケーブルを介して延在することを特徴とする、電極帯を用いて電気インピーダンストモグラフィ装置によって測定信号を求める方法によって解決される。
【図面の簡単な説明】
【００１２】
【図１】評価機器と電極帯とを備えた電気インピーダンストモグラフィ装置
【図２】図１に対して択一的な動作状態
【図３】本発明のコンタクト
【発明を実施するための形態】
【００１３】
本発明による装置の有利な構成は、従属請求項に記載されている。
【００１４】
電極を備えた電極帯を有している電気インピーダンストモグラフィ装置では、隣接している電極から成るグループが形成される。１つのグループに属する電極は、少なくとも１つの多芯リード線ケーブルとコンタクトされる。これらのグループはここで、同じ数の電極または異なる数の電極を有している。本発明では、２つの異なるグループに属する、隣接する２つの電極のうちの少なくとも１つの電極が、隣接するグループのリード線ケーブルを介しても接触される。
【００１５】
驚くべきことに、電極のこのような二重コンタクトによって、２つの別個のリード線ケーブルを介して、データ検出時の磁気的なクロストーク、ひいてはノイズ信号が格段に低減される。二重コンタクトは有利には、隣接する電極グループの境界領域に位置する電極に関し、２つの隣接する電極の間に、異なる多芯リード線ケーブルが存在する。概念「隣接する電極」とは、外皮表面と接触している２つの隣接する電極である。外皮接触が存在しない故障した電極が存在し、ひいては電流供給または電圧測定が不可能である場合には、隣接する電極は、この故障電極に続く、外皮接触を伴う電極である。
【００１６】
電極帯を用いて電気インピーダンストモグラフィ装置によって測定信号を求める方法は、異なるグループに属する隣接する２つの電極のうちの少なくとも１つの電極を、付加的な電極リード線と接触させることである。ここでこの電極帯は、それぞれ多芯リード線ケーブルを介して接触されている隣接する複数の電極から成る少なくとも２つのグループを有している。付加的な電極リード線は、上記の電極に対して隣接している電極グループのリード線ケーブルを介して延在している。本発明の範囲内において、２つの隣接する電極を、隣接する各電極グループのリード線ケーブルを介してコンタクトさせることもある。
【実施例】
【００１７】
本発明による装置の実施例を図示し、以下で、より詳細に説明する。
【００１８】
図１は、電極帯２と、電極帯２に接続されている評価機器３とを備えた電気インピーダンストモグラフィのための測定装置１を示している。電極帯２は帯留め具４を有しており、この留め具で電極帯２が開放される。電極帯２はさらに、１６個の電極Ｅ１〜Ｅ１６を有しており、これらは等間隔で、電極帯２に配置されている。電極は第１のグループ５と第２のグループ６とに分けられている。第１のグループは、隣接している８個の電極Ｅ１〜Ｅ８を有しており、第２のグループは同じように、隣接している８個の電極Ｅ９〜Ｅ１６を有している。電極Ｅ１〜Ｅ８から成る第１のグループ５は第１の多芯リード線ケーブル７とコンタクトされており、電極Ｅ９〜Ｅ１６から成る第２のグループ６は第２の多芯リード線ケーブル８と接続されている。図１は例として、電極リード線９、１０と電極Ｅ１、Ｅ２を介した電流供給と、電極リード線１１、１２と電極Ｅ７、Ｅ８を介した電圧測定とを示している。図示の例では、電流供給のためおよび電圧測定のための全ての電極リード線（９、１０、１１、１２）が、第１のリード線ケーブル７内に延在する。従って、僅かなクロストーク、ひいては僅かなノイズ信号しか存在しない。
【００１９】
図２は、図１に対する択一的な動作状態を示している。ここでは、電流供給が電極リード線９、１４および電極Ｅ１、Ｅ１６を介して行われ、電圧測定が電極リード線１２、１３および電極Ｅ８、Ｅ９を介して行われる。ここでは、電流供給のための電極リード線９、１４も、電圧測定のための電極リード線１２、１３も、異なるリード線ケーブル７、８内に延在しているので、高いノイズ信号を有する最大のクロストークが存在する。
【００２０】
図３は、電極Ｅ９の本発明によるコンタクトを示している。ここでは、第２のリード線ケーブル８を通って延在している電極リード線１３の他に付加的に、コンタクトが、第１のリード線ケーブル７を通って延在している電極リード線１５を介して存在する。このダブルコンタクトは、電極Ｅ１〜Ｅ８およびＥ９〜Ｅ１６の２つの異なるグループ５、６の、隣接している２つの電極Ｅ８およびＥ９のうちの１つまたは、Ｅ１６およびＥ１のうちの１つに関する。電極Ｅ９に対して択一的に、ダブルコンタクトを、電極Ｅ８を介して、または電極Ｅ１またはＥ１６を介して行うことができる。またはダブルコンタクトは各隣接する電極対Ｅ１、Ｅ１６；Ｅ８、Ｅ９で存在する。これは図３には、より分かり易くするために、図示されていない。
【符号の説明】
【００２１】
１  測定装置、  ２  電極帯、  ３  評価機器、  ４  帯留め具、  ５  第１の電極グループ、  ６  第２の電極グループ、  ７  第１のリード線ケーブル、  ８  第２のリード線ケーブル、  ９−１５  電極リード線、  Ｅ１−Ｅ１６  電極
【図１】
0005575177.tif 000002
【図２】
0005575177.tif 000003
【図３】
0005575177.tif 000004